(57)【要約】【課題】信号が入力された入力端子に自動的に切り替える表示装置を提供する。【解決手段】同期信号検出回路２０は、入力端子（Ｔ１）１１から入力端子（Ｔ５）１５が入力する信号の有無を判別する。検出回路３０は、入出力処理部５０の処理により信号の有無を判別し、同期信号検出回路２０に出力する。同期信号検出回路２０は、入力端子の入力信号有無判別結果を、セレクター・マルチプレクサー４０に出力する。セレクター・マルチプレクサー４０が入力信号有無判別結果を入出力処理部５０に出力すると、入力端子切替処理部５０ａは、入力端子の入力信号有無判別結果に基づいて入力端子の切り替え要求をセレクター・マルチプレクサー４０に出力する。セレクター・マルチプレクサー４０は、入力端子の切り替え要求に基づいて入力端子の選択を行い、選択した入力端子から信号を入力し、画像処理回路６０とパネル制御回路７０に出力する。【選択図】図２
2011180331.tif 000002
【特許請求の範囲】
【請求項１】
複数の入力端子のいずれかに接続された装置からの信号を入力して画像を表示する表示装置において、
前記入力端子の信号の有無を検出する信号検出手段と、
前記複数の入力端子のうち入力端子を前記信号検出手段により信号有りが検出された
入力端子に切り替える入力端子切替手段と、
を備えたことを特徴とする表示装置。
【請求項２】
当該表示装置に電源が入力されてからの経過時間が予め決められた設定時間以上のときに、前記入力端子切替手段が前記入力端子の切り替えを行うことを特徴とする請求項１に記載の表示装置。
【請求項３】
当該表示装置に電源が入力されてからの経過時間が予め決められた設定時間以内のときに、前記入力端子切替手段が前記入力端子の切り替えを行うことを特徴とする請求項１に記載の表示装置。
【請求項４】
当該表示装置の出荷後初めての起動時に、電源がオンされてから所定時間経過後に前記入力端子の切り替えを可能とする、または電源がオンされてから所定時間内に前記入力端子の切り替えを可能とするのいずれかの起動設定選択項目を記憶する起動方法設定手段を備えることを特徴とする請求項１から請求項３のいずれか１項に記載の表示装置。
【請求項５】
当該表示装置は、前記起動方法設定手段で設定された前記起動設定選択項目に基づいて前記入力端子切替手段が前記入力端子の信号の切り替えを行うことを特徴とする請求項４に記載の表示装置。
【請求項６】
前記起動方法設定手段は、当該表示装置に接続されているコンピュータにより前記起動設定選択項目を選択し設定することを特徴とする請求項５に記載の表示装置。
【請求項７】
当該表示装置が出荷後初めての起動であるか否かの初回起動情報を記憶する記憶手段を備えていることを特徴とする請求項４から請求項６のいずれか１項に記載の表示装置。
【請求項８】
当該表示装置は、プロジェクタ装置であることを特徴とする請求項１から請求項７のいずれか１項に記載の表示装置。
【請求項９】
前記入力端子切替手段は、前記入力端子の信号がノイズであるかを判別するノイズ判別手段とを備え、
前記ノイズ判別手段により前記入力端子の信号がノイズでないと判別されたときに、前記入力端子に切り替えることを特徴とする請求項１から請求項８のいずれか１項に記載の表示装置。
【請求項１０】
複数の入力端子のいずれかに接続された装置からの信号を入力して画像を表示する表示装置において、
前記入力端子の信号の有無を検出する信号検出工程と、
前記複数の入力端子のうち入力端子を前記信号検出工程により信号有りが検出された
入力端子に切り替える入力端子切替工程と、
を備えたことを特徴とする表示装置の信号切替方法。
【発明の詳細な説明】
【技術分野】
【０００１】
本発明は、表示装置に係り、特に入力信号の有無を判別し、自動的に入力信号の切り替えを行う表示装置に関する。
【背景技術】
【０００２】
近年、表示装置は、複数の入力端子が備えられ、これらの入力端子から出力される映像信号を選択し、表示することが可能となってきている。例えば、これらの入力端子に接続される外部装置としてコンポジットビデオ装置、Ｓ端子を備えるビデオ装置（以下、Ｓビデオ装置という）、アナログＶＧＡ端子を備えた装置（以下、アナログＶＧＡ装置）、アナログコンポーネント端子を備えた装置（以下、アナログコンポーネント装置という）、ＤＶＩ−Ｄ端子を備えた装置（以下、ＤＶＩ−Ｄ装置という）、ＨＤＭＩ端子を備えた装置（ＨＤＭＩ装置）、ＬＡＮ、ワイヤレスＬＡＮ、ＵＳＢ−ＶＧＡ端子を備えた変換装置（以下、ＵＳＢ−ＶＧＡ変換装置という）、ワイヤレスＵＳＢ−ＶＧＡ端子を備えた変換装置（以下、ワイヤレスＵＳＢ−ＶＧＡ変換装置という）、ＵＳＢメモリ及びＳＤカードなどがあるが、これらの外部装置から映像信号を入力することができる入力端子が設けられている。ユーザは、これらの外部装置から表示装置に映像信号の入力を行うときには、これらの外部装置とを接続するケーブルのコネクタを入力端子に挿入してから、入力端子の切替操作を行っていた。しかし、操作に不慣れなユーザは、入力端子の切替操作の手順がわからないことがあった。
【０００３】
このような入力端子の切り替え操作を解りやすく、操作性のよい切り替え方法を提供する技術として特開２００５−２５２５２８号公報（特許文献１）を挙げることができる。特許文献１に開示の技術では、入力端子の抜き差しを検知した場合に、現在表示中の画像と共に入力端子の抜き差しに応じた新たな画像をマルチ画面で表示することでユーザに状況把握を容易に行わせる表示システムを提供している。入力端子の抜き差しに応じた新たな画像は、抜き差しによる接続状態を表示する画像や、新たに差し込まれた入力端子からの映像信号に基づく画像、又はそれらを組み合わせた画像などである。
【先行技術文献】
【特許文献】
【０００４】
【特許文献１】特開２００５−２５２５２８号公報
【発明の概要】
【発明が解決しようとする課題】
【０００５】
しかしながら、特許文献１に開示の技術における表示システムは、ユーザに入力端子の抜き差しの状況を知らせることができるが、入力端子の切り替え操作はユーザ自身が行わなければならなかった。このため、操作に不慣れなユーザにとっては、入力端子の抜き差しによる状況が表示されてもどのように切り替え操作を行ってよいのかわからないことがあった。また、現在表示中の画像と共に入力端子の抜き差しによる新たな画像をマルチ画面で表示するためには、ＰｉｎＰ回路が必要となるので、コストがかかった。
【０００６】
本発明はこのような状況に鑑みてなされたものであり、上記課題を解決できる表示装置及び表示装置の信号切替方法を提供することを目的とする。
【課題を解決するための手段】
【０００７】
本発明の表示装置は、複数の入力端子のいずれかに接続された装置からの信号を入力して画像を表示する表示装置において、前記入力端子の信号の有無を検出する信号検出手段と、前記複数の入力端子のうち入力端子を前記信号検出手段により信号有りが検出された入力端子に切り替える入力端子切替手段と、を備えたことを特徴としている。
また、本発明の表示装置は、当該表示装置に電源が入力されてからの経過時間が予め決められた設定時間以上のときに、前記入力端子切替手段が前記入力端子の切り替えを行うことを特徴としている。
また、本発明の表示装置は、当該表示装置に電源が入力されてからの経過時間が予め決められた設定時間以内のときに、前記入力端子切替手段が前記入力端子の切り替えを行うことを特徴としている。
また、本発明の表示装置は、当該表示装置の出荷後初めての起動時に、ＡＣ電源がオンされてから所定時間経過後に前記入力端子の切り替えを可能とする、またはＡＣ電源がオンされてから所定時間内に前記入力端子の切り替えを可能とするのいずれかの起動設定選択項目を記憶する起動方法設定手段を備えることを特徴としている。
また、本発明の表示装置は、前記起動方法設定手段で設定された前記起動設定選択項目に基づいて前記入力端子切替手段が前記入力端子の信号の切り替えを行うことを特徴としている。
また、本発明の表示装置の前記起動方法設定手段は、当該表示装置に接続されているコンピュータにより前記起動設定選択項目を選択し設定することを特徴としている。
また、本発明の表示装置は、当該表示装置が出荷後初めての起動であるか否かの初回起動情報を記憶する記憶手段を備えていることを特徴としている。
また、本発明の表示装置は、プロジェクタ装置であることを特徴としている。
また、本発明の表示装置の前記入力端子切替手段は、前記入力端子の信号がノイズであるかを判別するノイズ判別手段とを備え、前記ノイズ判別手段により前記入力端子の信号がノイズでないと判別されたときに、前記入力端子に切り替えることを特徴としている。
本発明の表示装置の信号切替方法は、複数の入力端子のいずれかに接続された装置からの信号を入力して画像を表示する表示装置において、前記入力端子の信号の有無を検出する信号検出工程と、前記複数の入力端子のうち入力端子を前記信号検出工程により信号有りが検出された入力端子に切り替える入力端子切替工程と、を備えたことを特徴としている。
【発明の効果】
【０００８】
本発明によれば、ユーザが入力端子の切り替え操作を一切行うことなく、表示装置自体が自動的に入力端子の接続状態に合わせて、最適な切り替え操作を行う表示装置を提供することができる。また、入力端子の切り替え操作が不要となることで、ＧＵＩ（Ｇｒａｐｈｉｃａｌ Ｕｓｅｒ Ｉｎｔｅｒｆａｃｅ）や操作ボタンなどを搭載するコストを抑え、更に操作パネルのスペースが削減されるのでサイズダウンとなる表示装置を提供することができる。
【図面の簡単な説明】
【０００９】
【図１】本発明の実施形態１に係る表示装置の後面に設けられている入力端子の外観図である。
【図２】本発明の実施形態１に係る表示装置の機能ブロック図である。
【図３】本発明の実施形態１に係る表示装置の入力端子切替処理の手順を示すフローチャートである。
【図４】本発明の実施形態２に係る表示装置の入力端子切替処理の手順を示すフローチャートである。
【図５】本発明の実施形態３に係る表示装置の起動方設定処理の手順を示すフローチャートである。
【発明を実施するための形態】
【００１０】
以下、本発明を実施するための形態（以下、「実施形態」という）を、図面を参照して説明する。なお、本実施形態における信号は、映像信号であり、以下の点に特徴がある。
１．表示装置には複数の入力端子を備えており、全ての入力端子について、入力端子の自動判別の際には、信号入力の有無（同期信号の有無またはコネクション電圧の有無）を判別し、信号の入力がなかった入力端子に信号の入力が認められたら、信号の入力が認められた入力端子に自動的に切り替える。これにより、表示装置の入力端子の切り替えを入力端子のケーブル挿抜操作だけで行うことができる。
２．待機状態にある表示装置において上記１のように信号の入力がなかった入力端子に信号の入力認められたら、自動的に表示装置のランプを点灯し、信号の入力が認められた入力端子に自動的に切り替える。
３．上記１の動作は、映像が通常表示されている時にもリアルタイムに行われる。
４．電源が入力されたとき上記１または２の動作が勝手に行われないようにするため、電源が入力されてから決まった時間を経過するまでの間は上記１または２の動作は行わない（切替モード１とする）。
５．電源が入力されたとき上記１または２の動作が勝手に行われないようにするため、電源が入力されてから決まった時間を経過するまでの間だけ上記１または２の動作を行う（切替モード２とする）。
６．上記４、５のどちらの切替モードにするかは、ユーザが選択できる。
７．上記６の設定はユーザが表示装置を初めて使用したときに決定することができる。
８．上記手順またはユーザからの電源オンの要求に従って起動した表示装置について、全ての入力端子が無信号である状態が決まった時間続いたときに自動的に電源をオフすることができる。
上記特徴１から特徴８により、本発明はＧＵＩを使用せずに、信号を出力する装置と入力端子を接続するケーブルの挿抜だけで表示装置の入力端子の切り替え操作を行うことができる。従って、特別なＧＵＩや操作方法に対してユーザの習熟が必要でないので、誰でも入力端子の切り替えを行うことができる表示装置である。また、ＧＵＩや操作ボタンなどを搭載するコストを抑えることができる表示装置である。なお、上記特徴４の切替モード１は停電が発生した後に復電したとき（表示装置の電源が配電盤のブレーカーによりオフ、オンされたときや、雷などにより瞬時停電が発生したときなど）入力端子が勝手に切り替わるのを防止したいユーザにより選択されることを想定している。上記特徴５の切替モード２は、表示装置の動作中に勝手に入力端子が切り替わってしまうことを望まないユーザにより選択されることを想定している。
【００１１】
＜実施形態１＞
実施形態１は、入力端子の抜き差しが行われると差し込まれた入力端子に切り替える実施形態である。実施形態１では、１つの入力端子が差し込まれたときの切り替え手順の例を示している。また、実施形態１における表示装置１００は、入力端子に入力される信号とノイズを判別し、ノイズでない信号が入力された入力端子に自動的に切り替えることができる。
【００１２】
まず、図１に示す表示装置１００の後面に設けられている入力端子について説明する。図１の表示装置１００は、プロジェクター装置である。図示のように表示装置１００の後面に、ＲＳ２３２Ｃ端子１、出力端子２、入力端子（Ｔ１）１１、入力端子（Ｔ２）１２、入力端子（Ｔ３）１３、入力端子（Ｔ４）１４及び入力端子（Ｔ５）１５が設けられている。ＲＳ−２３２Ｃ端子１は、コンピュータから表示装置１００の操作を行うために接続される端子である。出力端子２は、コンピュータのモニターと接続される端子である。入力端子（Ｔ１）１１は、アナログコンポーネント装置と接続される端子である。入力端子（Ｔ２）１２は、Ｓビデオ装置と接続される端子である。入力端子（Ｔ３）１３は、コンポジットビデオ装置と接続される端子である。入力端子（Ｔ４）１４は、ＤＶＩ−Ｄ装置と接続される端子である。入力端子（Ｔ５）１５は、ＬＡＮと接続される端子である。
【００１３】
次に、図２に示す表示装置１００の機能について説明する。図示のように表示装置１００は、入力端子（Ｔ１）１１、入力端子（Ｔ２）１２、入力端子（Ｔ３）１３、入力端子（Ｔ４）１４、入力端子（Ｔ５）１５、同期信号検出回路２０、検出回路３０、セレクター・マルチプレクサー４０、入出力処理部５０、ＥＥＰＲＯＭ５１、画像処理回路６０、パネル制御回路７０、パネル８０、制御電源９０、ＲＳ２３２Ｃ端子１及び出力端子２から構成されている。入出力処理部５０には、入力端子切替処理部５０ａと起動方法設定処理部５０ｂが設けられている。なお、入力端子切替処理部５０ａは後述の実施形態２でも用いられる部位である。また、起動方法設定処理部５０ｂは、後述の実施形態３で用いられる部位である。図２の入力端子（Ｔ１）１１〜（Ｔ５）１５は、図１の入力端子（Ｔ１）１１〜（Ｔ５）１５に対応する。図２のＲＳ２３２Ｃ端子１、出力端子２は、図１のＲＳ２３２Ｃ端子１、出力端子２に対応する。
【００１４】
同期信号検出回路２０は、入力端子（Ｔ１）１１、入力端子（Ｔ２）１２、入力端子（Ｔ３）１３、入力端子（Ｔ４）１４及び入力端子（Ｔ５）１５が入力する信号の有無を判別する回路である。但し入力端子（Ｔ５）１５については、検出回路３０を介して入力信号の有無の判別結果が同期信号検出回路２０に出力される。検出回路３０は、入力端子（Ｔ５）１５からの信号と、入出力処理部５０が実行する処理に基づいて判定した結果を同期信号検出回路２０に出力する。同期信号検出回路２０は、各入力端子の入力信号有無判別結果を、セレクター・マルチプレクサー４０に出力する。
【００１５】
同期信号検出回路２０と検出回路３０による、入力端子の信号有無判別方法について、表示装置１００に接続される外部装置の種別に応じ（１）から（７）に分類して説明する。
（１） コンポジットビデオ装置またはＳビデオ装置
コンポジットビデオ装置またはＳビデオ装置の場合、表示装置１００の入力端子に印加されるのはＮＴＳＣ・ＰＡＬ・ＳＥＣＡＭなどのビデオ信号またはＹ／Ｃ分離されたＳビデオ信号である。同期信号検出回路２０は、ＮＴＳＣ・ＰＡＬ・ＳＥＣＡＭなどのビデオ信号またはＹ／Ｃ分離されたＳビデオ信号の同期信号であるVsync=６０Hz/50Hz、Hsync=15kHzを検出できたときに、入力端子に信号有りとする。入力端子（Ｔ２）１２は、Ｓビデオ装置に接続されるので、当該（１）の方法で信号有無が判別される。また、入力端子（Ｔ３）１３は、コンポジットビデオ装置に接続されるので、当該（１）の方法で信号有無が判別される。
（２） アナログＶＧＡ装置またはアナログコンポーネント装置
アナログＶＧＡ装置またはアナログコンポーネント装置の場合、表示装置１００の入力端子に印加されるのはアナログＶＧＡ信号またはアナログコンポーネント信号である。同期信号検出回路２０は、アナログＶＧＡ信号またはアナログコンポーネント信号の下記（ａ）から（ｄ）のいずれかの同期信号を検出する。信号検出回路２０が入力可能な周波数の同期信号を検出したときに、入力端子に信号有りとする。
（ａ）独立したHS/VS信号（独立した端子への波形）
（ｂ）Composite-On-H（HS端子へのコンポジットHS/VS信号）
（ｃ）Sync-On-Green（Ｇ端子の映像に重畳されたHS/VS信号）
（ｄ）色差輝度信号に重畳されたHS/VS同期信号
アナログＶＧＡを備えたＰＣについては、同期信号検出回路２０が接続先のモニターの機種名や設定値をＰＣに伝えるディスプレイ独自のＩＤであるＥＤＩＤに対する印加電圧を検出できたときに、入力端子に信号有りとすることも可能である。入力端子（Ｔ１）１１は、アナログコンポーネント装置に接続されるので、当該（２）の方法で信号有無が判別される。
（３） ＤＶＩ−Ｄ装置
ＤＶＩ−Ｄ装置の入力端子の場合、表示装置１００の入力端子に＋５Ｖの電圧が常に印加される。同期信号検出回路２０は、＋５Ｖの電圧を検出できたときに、入力端子に信号有りとする。
（４） ＨＤＭＩ装置
ＨＤＭＩ装置の場合、入力端子に＋５Ｖの電圧が常に印加される。同期信号検出回路２０は、＋５Ｖの電圧を検出できたときに、入力端子に信号有りとする。但し、ＨＤＭＩ装置において、ＨＤＭＩケーブルを介して制御信号を伝送して機器間の連携動作を実現する規格であるＣＥＣを備えていれば、同期信号検出回路２０は、ＨＤＭＩ装置のＣＥＣによる入力切替のリクエストがあったとき（CECのIMAGE_VIEW_ON または TEXT_VIEW_ON受信）に、入力端子に信号有りとする。入力端子（Ｔ４）１４は、ＤＶＩ−Ｄ装置に接続されるので、当該（３）の方法で信号有無が判別される。
（５） ＬＡＮまたはワイヤレスＬＡＮ
ＬＡＮまたはワイヤレスＬＡＮの場合、信号ケーブルが常に接続される。このため、ＬＡＮまたはワイヤレスＬＡＮの通信を受信したか否かは、ＴＣＰ／ＩＰまたはＵＤＰ／ＩＰのアプリケーション・プロトコルにより通信を受信したか否かを検出することで行われる。この検出は、入出力処理部５０によるＴＣＰ／ＩＰまたはＵＤＰ／ＩＰのアプリケーション・プロトコルの受信処理を監視することにより行われる。検出回路３０が、入出力処理部５０からＴＣＰ／ＩＰまたはＵＤＰ／ＩＰのアプリケーション・プロトコルの受信通知を入力したときに、入力端子に信号有りとする。入力端子（Ｔ５）１５は、ＬＡＮに接続されるので、当該（５）の方法で信号有無が判別される。
（６） ＵＳＢ−ＶＧＡ変換装置またはワイヤレスＵＳＢ−ＶＧＡ変換装置
ＵＳＢ−ＶＧＡ変換装置またはワイヤレスＵＳＢ−ＶＧＡ変換装置の場合、接続されている外部装置はＵＳＢディスプレイアダプタとしての取り扱いとなる。このため、映像データが有るか否かは映像ケーブルの挿抜となり、映像ケーブルの挿抜はＵＳＢの接続・切断を検出することで行われる。この検出は、入出力処理部５０によるＵＳＢの接続・切断処理を監視することにより行われる。検出回路３０が、入出力処理部５０から有線ＵＳＢまたは無線ＵＳＢとの接続によるコネクションの確立通知を入力したときに、入力端子に信号有りとする。
（７） ＵＳＢメモリまたはＳＤカード
ＵＳＢメモリまたはＳＤカードの場合、信号の有無はＵＳＢメモリまたはＳＤカードと接続されているか否かで判別される。このため、ＵＳＢメモリまたはＳＤカードと接続されているか否かは、ＵＳＢホスト、ＳＤカードリーダなどのホストインターフェースのストレージメディアとの接続を検出することで行われる。この検出は、入出力処理部５０によるホストインターフェースのストレージメディアとの接続処理を監視することにより行われる。検出回路３０が、入出力処理部５０からストレージメディアの挿入通知を入力したときに、入力端子に信号有りとする。
【００１６】
セレクター・マルチプレクサー４０は、同期信号検出回路２０から入力端子の入力信号有無判別結果を入力すると、入出力処理部５０に出力する。また、セレクター・マルチプレクサー４０は、入出力処理部５０から出力される入力端子の切り替え要求に基づいて入力端子の選択を行う。次に、セレクター・マルチプレクサー４０は、選択した入力端子から信号を入力すると、画像処理回路６０とパネル制御回路７０に信号を出力する。
【００１７】
入出力処理部５０は、上述した（５）のＴＣＰ／ＩＰまたはＵＤＰ／ＩＰのアプリケーション・プロトコルの受信処理、（６）のＵＳＢの接続・切断処理、（７）のストレージメディアとの接続処理を行う部位である。また、入出力処理部５０の入力端子切替処理部５０ａは、セレクター・マルチプレクサー４０から出力される入力端子の入力信号有無判別結果に基づいて入力端子の切り替えを行う部位である。入出力処理部５０は、表示装置装置１００を統括的に制御するＣＰＵ（図示せず）により実行制御される。
【００１８】
ＥＥＰＲＯＭ５１は、入出力処理部５０に接続されている書き替え可能な不揮発性メモリであり、入出力処理部５０が実行するプログラムやデータ等を記憶する。
【００１９】
画像処理回路６０は、セレクター・マルチプレクサー４０から出力される信号の画像処理を行い、画像処理を行った画像データをパネル８０に出力する。
【００２０】
パネル制御回路７０は、パネル８０の制御を行う回路でパネル８０のランプを制御するランプバラスト回路などから構成されている。
【００２１】
パネル８０は、画像処理回路６０から出力される画像データを表示する。
【００２２】
制御電源９０は、配電盤３００のブレーカー３１０を経由して供給されるＡＣ電源をＤＣ電源に変換して表示装置１００の各部へ供給する。制御電源９０とブレーカー３１０の間には電源スイッチ９１が設けられている。
【００２３】
ＲＳ２３２Ｃ端子１は、表示装置１００の操作を行うパソコン装置２００のパソコン装置本体２１０と接続される。出力端子２は表示装置１００の操作メニューが表示されるパソコン装置２００のモニター２２０と接続される。
【００２４】
次に、表示装置１００の入力端子切替処理部５０ａが実行する入力端子切替処理の手順について説明する。入力端子切替処理部５０ａは、入力端子に入力される信号がノイズであるかを判別し、ノイズであるときには入力端子の切り替えを行わないようにすることができる。図３（１）は、入力端子切替処理の手順を示すフローチャートである。図３（２）は、入力端子切替処理から呼び出される信号有無判別サブルーチン処理Ｓ４０の手順を示すフローチャートである。図３（１）に示す入力端子切替処理と図３（２）に示す信号有無判別サブルーチン処理（Ｓ４０）におけるＸ（Ｘ＝１〜５）は、入力端子を示すためのインデックス番号である。入力端子（ＴＸ）（Ｘ＝１〜５）は、図１及び図２のＴ１〜Ｔ５に対応している。Ｃ１〜Ｃ５は、信号有りの回数をカウントする信号有カウンタで、Ｔ１〜Ｔ５に対応している。Ｃ１〜Ｃ５は、信号無しのときに初期化される。Ｚ１〜Ｚ５は、信号無しの回数をカウントする信号無カウンタで、Ｔ１〜Ｔ５に対応している。Ｚ１〜Ｚ５は、入力端子（ＴＸ）を切り替え後に初期化される。また、Ｎ１は信号有カウンタＣＸ（Ｘ＝１〜５）について予め決められた信号有りとする回数であり、Ｎ２は信号無カウンタＺＸ（Ｘ＝１〜５）について予め決められた信号無しとする回数である。つまり、ＣＸがＮ１以上であるか判定し、更にＺＸがＮ２より小さいかを判定し、そしてＣＸがＮ１以上かつＺＸがＮ２より小さいときに該当する入力端子（ＴＸ）の切り替えを行う。
【００２５】
まず、図３（１）に示す入力端子切替処理についてステップ順に説明し、次に図３（２）に示す信号有無判別サブルーチン処理（Ｓ４０）についてステップ順に説明する。ユーザにより表示装置１００の電源が投入されたとき、またはユーザにより待機状態の表示装置１００が起動されたときに入力端子切替処理部５０ａが入力端子切替処理を開始する。
【００２６】
（ステップＳ１０）
まず、入力端子切替処理部５０ａは、入力端子（ＴＸ）（Ｘ＝１〜５）の信号有カウンタＣＸ＝０（Ｘ＝１〜５）の初期化を行う。
【００２７】
（ステップＳ２０）
次に、入力端子切替処理部５０ａは、入力端子（ＴＸ）（Ｘ＝１〜５）の信号無カウンタＺＸ＝０（Ｘ＝１〜５）の初期化を行う。
【００２８】
（ステップＳ３０）
次に、入力端子切替処理部５０ａは、入力端子（ＴＸ）のインデックス番号（Ｘ）の初期化（Ｘ＝１）を行う。
【００２９】
（ステップＳ４０）
次に、入力端子切替処理部５０ａは、図３（２）に示す信号有無判別サブルーチン処理（Ｓ４０）を呼び出して入力端子（ＴＸ）の信号有無の判別を行う。信号が有るときは、対応する入力端子（ＴＸ）の信号有カウンタＣＸがインクリメントされて更新される。また、信号が無いときは、対応する入力端子（ＴＸ）の信号無カウンタＺＸがインクリメントされて更新される。信号有無判別サブルーチン処理（Ｓ４０）の手順については、後述する。
【００３０】
（ステップＳ５０）
次に、入力端子切替処理部５０ａは、入力端子（ＴＸ）のインデックス番号（Ｘ）をインクリメントして更新（Ｘ＝Ｘ＋１）する。
【００３１】
（ステップＳ６０）
次に、入力端子切替処理部５０ａは、全ての入力端子（ＴＸ）について信号有無の判別を行ったか（Ｘ＞５）を判定する。全ての入力端子（ＴＸ）について信号有無の判別を行ったとき(ステップＳ６０のＹｅｓ)は、Ｎ１以上である信号有カウンタＣＸがあるかを判定するステップＳ７０に進む。また、全ての入力端子（ＴＸ）について信号有無の判別を行っていないとき(ステップＳ６０のＮｏ)は、次の入力端子（ＴＸ）について信号有無の判別を行うために信号有無判別サブルーチン処理Ｓ４０を呼び出すステップＳ４０に戻る。
【００３２】
（ステップＳ７０）
ステップＳ６０がＹｅｓのときに入力端子切替処理部５０ａは、全ての信号有カウンタＣＸについてチェックを行い、Ｎ１以上である信号有カウンタＣＸがあるかを判定する。例えば、実施形態１の表示装置１００では５つの入力端子（ＴＸ）が設けられているので、入力端子Ｔ１〜Ｔ５に対応する信号有カウンタＣ１〜Ｃ５について、Ｎ１以上であるかを判定する。信号有カウンタＣＸの中にＮ１以上の信号有カウンタＣＸがあるとき(ステップＳ７０のＹｅｓ)は、ＣＸに対応する信号無カウンタＺＸがＮ２以上であるかを判定するステップＳ８０に進む。また、信号有カウンタＣＸの中にＮ１以上の信号有カウンタＣＸがないとき(ステップＳ７０のＮｏ)は、入力端子（ＴＸ）のインデックス番号（Ｘ）の初期化（Ｉ＝１）を行うステップＳ３０に戻る。
【００３３】
（ステップＳ８０）
ステップＳ７０がＹｅｓのときに入力端子切替処理部５０ａは、Ｎ１以上であるＣＸに対応する信号無カウンタＺＸが、Ｎ２以上であるかを判定する。Ｎ１以上であるＣＸに対応する信号無カウンタＺＸが、Ｎ２以上であるとき(ステップＳ８０のＹｅｓ)は、入力端子（ＴＸ）のインデックス番号（Ｘ）の初期化（Ｘ＝１）を行うステップＳ３０に戻る。Ｎ１以上であるＣＸに対応する信号無カウンタＺＸがＮ２以上でないとき(ステップＳ８０のＮｏ)は、Ｎ１以上であるＣＸに対応する入力端子（ＴＸ）に切り替えるステップＳ９０に進む。
【００３４】
（ステップＳ９０）
ステップＳ８０がＮｏのときに入力端子切替処理部５０ａは、Ｎ１以上であるＣＸに対応する入力端子（ＴＸ）に切り替える要求をセレクター・マルチプレクサー４０に出力する。セレクター・マルチプレクサー４０は、入力端子（ＴＸ）の切り替え要求を入力すると、その切り替え要求に基づいて入力端子（ＴＸ）の選択を行う。
【００３５】
（ステップＳ１００）
次に、入力端子切替処理部５０ａは、信号無カウンタＺ１〜Ｚｎの初期化（ＺＸ＝０、Ｘ＝１〜５）を行い、入力端子（ＴＸ）のインデックス番号（Ｘ）の初期化（Ｘ＝１）を行うステップＳ３０に戻る。
【００３６】
次に、図３（２）に示す信号有無判別サブルーチン処理（Ｓ４０）についてステップ順に説明する。信号有無判別サブルーチン処理（Ｓ４０）は、図３（１）の入力端子切替処理のステップＳ４０において、入力端子切替処理部５０ａから呼び出されると処理が開始される。
【００３７】
（ステップＳ４１）
まず、入力端子切替処理部５０ａは、セレクター・マルチプレクサー４０から出力される入力信号有無判別結果から入力端子（ＴＸ）に対応する信号有無を取り出す。
【００３８】
（ステップＳ４２）
次に、入力端子切替処理部５０ａは、ステップＳ４１で取り出した入力端子（ＴＸ）に対応する信号有無から入力端子（ＴＸ）に信号入力が有るかを判定する。入力端子（ＴＸ）の信号入力が有るときは、入力端子（ＴＸ）に対応する信号有カウンタＣＸをインクリメントして更新（ＣＸ＝ＣＸ＋１）するステップＳ４３に進む。また、入力端子（ＴＸ）の信号が無いときは、入力端子（ＴＸ）に対応する信号有カウンタＣＸを初期化（ＣＸ＝０）するステップＳ４４に進む。
【００３９】
（ステップＳ４３）
ステップＳ４２がＹｅｓのときに入力端子切替処理部５０ａは、入力端子（ＴＸ）に対応する信号有カウンタＣＸをインクリメントして更新（ＣＸ＝ＣＸ＋１）する。入力端子切替処理部５０ａは、図３（１）に示す入力端子切替処理のステップＳ５０に戻る。
【００４０】
（ステップＳ４４）
ステップＳ４２がＮｏのときに入力端子切替処理部５０ａは、入力端子（ＴＸ）に対応する信号有カウンタＣＸを初期化（ＣＸ＝０）する。このように、信号が入力されなくなったときに信号有カウンタＣＸを初期化することで、連続してＮ１以上信号有りとなったとき以外はノイズと判別される。
【００４１】
（ステップＳ４５）
次に、入力端子切替処理部５０ａは、入力端子（ＴＸ）に対応する信号無カウンタＺＸをインクリメントして更新（ＺＸ＝ＺＸ＋１）する。入力端子切替処理部５０ａは、図３（１）に示す入力端子切替処理のステップＳ５０に戻る。
【００４２】
以上のような実施形態１の入力端子切替処理によれば、ユーザが入力端子の切り替え操作を一切行うことなく、表示装置自体が入力端子の接続状態に合わせて、自動的に入力端子の切り替えることができる。また、入力端子に入力される信号とノイズを判別（ノイズ判別手段）し、ノイズのときには入力端子の切り替えは行われないようにすることができる。
【００４３】
＜実施形態２＞
実施形態２における表示装置１００は、入力端子の抜き差しが行われたときに、表示装置１００に制御電源９０を接続してからの経過時間（以下、単に「経過時間」という）による切替条件に基づいて、差し込まれた入力端子の切り替えを行うかを判定することができるようにしたものである。実施形態２では、実施形態１と同様に１つの入力端子が差し込まれたときの切り替え手順の例を示している。制御電源９０から電源が入力されたとき、勝手に入力端子の切り替えが行われないようにするため、経過時間（以下、ＴＩＭＥ１という）までの間は入力端子の切り替えは行わない。例えば、ユーザが表示装置１００の電源スイッチ９１をオンした状態において配電盤３００のブレーカー３１０をオフ、オンしたときに勝手に入力端子の切り替えが行われないようにするため、所定時間（以下、ＴＩＭＥ２）が経過するまでの間だけ入力端子の切り替えが可能とする。また、実施形態２についても、実施形態１と同様に入力端子に入力される信号がノイズか否かを判別し、ノイズでない信号が入力された入力端子に自動的に切り替えることができる。
【００４４】
本実施形態２に係る表示装置１００は、図１及び図２に示した実施形態１の表示装置１００に同じである。なお、ＥＥＰＲＯＭ５１には、経過時間が第１の所定時間であるＴＩＭＥ１以上のときに切り替える（切替モード１）、または経過時間が第２の所定時間であるＴＩＭＥ２以内のときに切り替える（切替モード２）のいずれかの切替モードが選択された切替モード選択情報が記憶される。
【００４５】
次に、実施形態２に係る表示装置１００の入力端子切替処理部５０ａが実行する入力端子切替処理の手順について説明する。入力端子切替処理部５０ａは、入力端子に入力される信号がノイズであるかを判別し、ノイズであるときには入力端子の切り替えを行わないようにすることができる。図４は、入力端子切替処理の手順を示すフローチャートである。図４の入力端子切替処理の手順については、ステップＳ２１、ステップＳ２２、ステップＳ８１、ステップＳ８２及びステップ８３が追加され、ステップＳ８０が変更されている以外は、図３（１）に示す入力端子切替処理のフローチャートに同じである。また、図４のステップＳ４０で呼び出される信号有無判別サブルーチン処理Ｓ４０については、実施形態１の図３（２）に示す信号有無判別サブルーチン処理（Ｓ４０）に同じである。
【００４６】
まず、図４示す入力端子切替処理についてステップ順に説明する。ユーザにより表示装置１００の電源が投入されたとき、またはユーザにより待機状態の表示装置１００が起動されたときに入力端子切替処理部５０ａが入力端子切替処理を開始する。
【００４７】
（ステップＳ１０）
最初に、入力端子切替処理部５０ａは、入力端子（ＴＸ）（Ｘ＝１〜５）の信号有カウンタＣＸ＝０（Ｘ＝１〜５）の初期化を行う。
【００４８】
（ステップＳ２０）
次に、入力端子切替処理部５０ａは、入力端子（ＴＸ）（Ｘ＝１〜５）の信号無カウンタＺＸ＝０（Ｘ＝１〜５）の初期化を行う。
【００４９】
（ステップＳ２１）
次に、入力端子切替処理部５０ａは、ＥＥＰＲＯＭ５１から切替モード選択情報を取り出す。
【００５０】
（ステップＳ２２）
次に、入力端子切替処理部５０ａは、時間のカウントを開始する。
【００５１】
（ステップＳ３０）
次に、入力端子切替処理部５０ａは、入力端子（ＴＸ）のインデックス番号（Ｘ）の初期化（Ｘ＝１）を行う。
【００５２】
（ステップＳ４０）
次に、入力端子切替処理部５０ａは、図３（２）に示す信号有無判別サブルーチン処理（Ｓ４０）を呼び出して入力端子（ＴＸ）の信号有無の判別を行う。信号が有るときは、対応する入力端子（ＴＸ）の信号有カウンタＣＸがインクリメントされて更新される。また、信号が無いときは、対応する入力端子（ＴＸ）の信号無カウンタＺＸがインクリメントされて更新される。信号有無判別サブルーチン処理（Ｓ４０）の手順については、後述する。
【００５３】
（ステップＳ５０）
次に、入力端子切替処理部５０ａは、入力端子（ＴＸ）のインデックス番号（Ｘ）をインクリメントして更新（Ｘ＝Ｘ＋１）する。
【００５４】
（ステップＳ６０）
次に、入力端子切替処理部５０ａは、全ての入力端子（ＴＸ）について信号有無の判別を行ったか（Ｘ＞５）を判定する。全ての入力端子（ＴＸ）について信号有無の判別を行ったとき(ステップＳ６０のＹｅｓ)は、Ｎ１以上である信号有カウンタＣＸがあるかを判定するステップＳ７０に進む。また、全ての入力端子（ＴＸ）について信号有無の判別を行っていないとき(ステップＳ６０のＮｏ)は、次の入力端子（ＴＸ）について信号有無の判別を行うために信号有無判別サブルーチン処理Ｓ４０を呼び出すステップＳ４０に戻る。
【００５５】
（ステップＳ７０）
ステップＳ６０がＹｅｓのときに入力端子切替処理部５０ａは、全ての信号有カウンタＣＸについてチェックを行い、Ｎ１以上である信号有カウンタＣＸがあるかを判定する。例えば、実施形態２の表示装置１００では５つの入力端子（ＴＸ）が設けられているので、入力端子Ｔ１〜Ｔ５に対応する信号有カウンタＣ１〜Ｃ５について、Ｎ１以上であるかを判定する。信号有カウンタＣＸの中にＮ１以上の信号有カウンタＣＸがあるとき(ステップＳ７０のＹｅｓ)は、ＣＸに対応する信号無カウンタＺＸがＮ２以上であるかを判定するステップＳ８０に進む。また、信号有カウンタＣＸの中にＮ１以上の信号有カウンタＣＸがないとき(ステップＳ７０のＮｏ)は、入力端子（ＴＸ）のインデックス番号（Ｘ）の初期化（Ｉ＝１）を行うステップＳ３０に戻る。
【００５６】
（ステップＳ８０）
ステップＳ７０がＹｅｓのときに入力端子切替処理部５０ａは、Ｎ１以上であるＣＸに対応する信号無カウンタＺＸが、Ｎ２以上であるかを判定する。Ｎ１以上であるＣＸに対応する信号無カウンタＺＸが、Ｎ２以上であるとき(ステップＳ８０のＹｅｓ)は、入力端子（ＴＸ）のインデックス番号（Ｘ）の初期化（Ｘ＝１）を行うステップＳ３０に戻る。Ｎ１以上であるＣＸに対応する信号無カウンタＺＸがＮ２以上でないとき(ステップＳ８０のＮｏ)は、切替モード選択情報が切替モード１であるかを判定するステップＳ８１に進む。
【００５７】
（ステップＳ８１）
ステップＳ８０がＮｏのときに入力端子切替処理部５０ａは、ＥＥＰＲＯＭ５１から取り出した切替モード選択情報が切替モード１であるかを判定する。切替モード１であるとき(ステップＳ８１のＹｅｓ)は、経過時間がＴＩＭＥ１以上であるかを判定するステップＳ８２に進む。切替モード１でないとき(ステップＳ８１のＮｏ)は、経過時間がＴＩＭＥ２以内であるかを判定するステップＳ８３に進む。
【００５８】
（ステップＳ８２）
ステップＳ８１がＹｅｓのときに入力端子切替処理部５０ａは、ステップＳ２２でカウントを開始した経過時間が予め決められたＴＩＭＥ１以上であるかを判定する。ＴＩＭＥ１以上であるとき(ステップＳ８２のＹｅｓ)は、Ｎ１以上であるＣＸに対応する入力端子（ＴＸ）に切り替えるステップＳ９０に進む。ＴＩＭＥ１以上でないとき(ステップＳ８２のＮｏ)は、入力端子（ＴＸ）のインデックス番号（Ｘ）の初期化（Ｘ＝１）を行うステップＳ３０に戻る。
【００５９】
（ステップＳ８３）
ステップＳ８１がＮｏのときに入力端子切替処理部５０ａは、ステップＳ２２でカウントを開始した経過時間が予め決められたＴＩＭＥ２以内であるかを判定する。ＴＩＭＥ２以内であるとき(ステップＳ８３のＹｅｓ)は、Ｎ１以上であるＣＸに対応する入力端子（ＴＸ）に切り替えるステップＳ９０に進む。ＴＩＭＥ２以内でないとき(ステップＳ８３のＮｏ)は、入力端子切替処理部５０ａは、入力端子（ＴＸ）のインデックス番号（Ｘ）の初期化（Ｘ＝１）を行うステップＳ３０に戻る。
【００６０】
（ステップＳ９０）
ステップＳ８０がＮｏのときに入力端子切替処理部５０ａは、Ｎ１以上であるＣＸに対応する入力端子（ＴＸ）に切り替える要求をセレクター・マルチプレクサー４０に出力する。セレクター・マルチプレクサー４０は、入力端子（ＴＸ）の切り替え要求を入力すると、この入力端子（ＴＸ）の切り替え要求に基づいて入力端子（ＴＸ）の選択を行う。
【００６１】
（ステップＳ１００）
次に、入力端子切替処理部５０ａは、信号無カウンタＺＸ＝０（Ｘ＝１〜５）を行い、入力端子（ＴＸ）のインデックス番号（Ｘ）の初期化（Ｘ＝１）を行うステップＳ３０に戻る。
【００６２】
以上のような実施形態２の入力端子切替処理によれば、ユーザが入力端子の切り替え操作を一切行うことなく、経過時間による切替条件に基づいて表示装置自体が入力端子の接続状態に合わせて、自動的に入力端子の切り替えることができる。このように経過時間による切替条件に基づいて入力端子の接続切替を行うことで、ユーザの意図しない入力端子の切り替えを防止できる。また、入力端子に入力される信号とノイズを判別（ノイズ判別手段）し、ノイズのときには入力端子の切り替えは行われないようにすることができる。
【００６３】
＜実施形態３＞
実施形態３は、表示装置を起動するときに切替モード１または切替モード２のどちらかを選択でき、選択した切替モードで表示装置の入力端子の切替処理が行われる実施形態である。
【００６４】
本実施形態３に係る表示装置１００は、図１及び図２に示した実施形態１の表示装置１００に同じである。なお、入出力処理部５０の起動方法設定処理部５０ｂは、表示装置１００の出荷後初めて起動するときに「切替モード１」または「切替モード２」のどちらの切替モード（以下、起動設定選択項目という）を選択するかをＥＥＰＲＯＭ５１に記憶する。また、ＥＥＰＲＯＭ５１には、出荷後初めての起動か否かを判別できる初回起動情報が記憶される。
【００６５】
次に、本実施形態に係る表示装置１００の起動方法設定処理部５０ｂが実行する起動方法設定処理の手順について説明する。図５は、起動方法設定処理の手順を示すフローチャートである。図５に示す起動方法設定処理について、ステップ順に説明する。図５は、出荷後に初めて起動したときに、切替モードがユーザにより設定されるときのフローチャートである。まず、図２に示すＲＳ２３２Ｃ端子１にパソコン装置２００のパソコン装置本体２１０を接続し、出力端子２にパソコン装置２００のモニター２２０を接続する。そして、ユーザが表示装置１００の電源スイッチ９１をオンすると起動方法設定処理部５０ｂが起動方法設定処理を開始する。表示装置１００に操作パネルなどの設定手段を備えているときには、パソコン装置２００と接続せずに、表示装置１００本体から直接設定することも可能である。
【００６６】
（ステップＳ２１０）
まず、起動方法設定処理部５０ｂは、ＥＥＰＲＯＭ５１から初回起動情報を取り出す。
【００６７】
（ステップＳ２２０）
次に、起動方法設定処理部５０ｂは、ＥＥＰＲＯＭ５１から取り出した初回起動情報から出荷後初めての起動かを判定する。出荷後初めての起動のとき(ステップＳ２２０のＹｅｓ)は、起動設定選択項目をパソコン装置２００のモニター２２０に表示するステップＳ２３０に進む。出荷後初めての起動でないとき(ステップＳ２２０のＮｏ)は、起動方法設定処理部５０ｂが起動方法設定処理を終了する。
【００６８】
（ステップＳ２３０）
次に、起動方法設定処理部５０ｂは、起動設定選択項目をパソコン装置２００のモニター２２０に表示するために、起動設定選択項目の画像データを出力端子２に出力する。モニター２２０に「切替モード１で入力端子の切り替えを行う」または「切替モード２で入力端子の切り替えを行う」を選択するための画像が表示される。
【００６９】
（ステップＳ２４０）
次に、ユーザが「切替モード１で入力端子の切り替えを行う」または「切替モード２で入力端子の切り替えを行う」のどちらかをパソコン装置本体２１０からの操作により選択すると、ＲＳ２３２Ｃ端子１に選択された起動設定選択項目が出力される。起動方法設定処理部５０ｂは、ＲＳ２３２Ｃ端子１から選択された起動設定選択項目を入力する。
【００７０】
（ステップＳ２５０）
次に、起動方法設定処理部５０ｂは、「切替モード１で入力端子の切り替えを行う」が選択されたかを判定する。「切替モード１で入力端子の切り替えを行う」が選択されたとき(ステップＳ２５０のＹｅｓ)は、「切替モード１で入力端子の切り替えを行う」とするの設定項目をＥＥＰＲＯＭ５１に記憶するステップＳ２６０に進む。また、「切替モード２で入力端子の切り替えを行う」が選択されたとき(ステップＳ２５０のＮｏ)は、「切替モード２で入力端子の切り替えを行う」とする設定項目をＥＥＰＲＯＭ５１に記憶するステップＳ２７０に進む。
【００７１】
（ステップＳ２６０）
次に、起動方法設定処理部５０ｂは、「切替モード１で入力端子の切り替えを行う」とする設定項目をＥＥＰＲＯＭ５１に記憶する。
【００７２】
（ステップＳ２７０）
次に、起動方法設定処理部５０ｂは、「切替モード２で入力端子の切り替えを行う」とする設定項目をＥＥＰＲＯＭ５１に記憶する。
【００７３】
（ステップＳ２８０）
次に、起動方法設定処理部５０ｂは、初回起動情報を「初回起動済み」に更新し、ＥＥＰＲＯＭ５１に記憶し、起動方法設定処理を終了する。
【００７４】
以上のような実施形態３の起動方法設定処理によれば、「切替モード１で入力端子の切り替えを行う」が選択されたときには、表示装置１００に制御電源９０を接続し、表示装置１００の電源スイッチ９１がオンされると、所定時間後の表示装置１００の入力端子切替処理部５０ａが入力端子切替処理を自動的に実行する。従って、表示装置１００を使用する場所で表示装置１００の電源スイッチ９１により制御電源９０の投入を行うと、信号が入力される入力端子に自動的に切り替えられる。また、「切替モード２で入力端子の切り替えを行う」が選択されたときには、表示装置１００の電源スイッチ９１がオンの状態で停電が起こり、その後復電したとき（配電盤３００のブレーカー３１０をオフ、オンされたときや、瞬時停電が起こったときなど）に、所定時間内において表示装置１００のブレーカー３１０が投入されると、表示装置１００の入力端子切替処理部５０ａが入力端子切替処理を自動的に実行する。従って、ユーザが容易に操作できない高い位置に表示装置１００が固定されているときにブレーカー３１０の投入を行うと、信号が入力されている入力端子に自動的に切り替えられる。なお、「切替モード１で入力端子の切り替えを行う」が設定されたときには、停電によりブレーカー３１０から電源の供給が停止され、その後復電（瞬時停電など）により自動的にブレーカー３１０から電源の供給が開始された場合でも、入力端子の切り替えは行われないので、意図しない入力端子の切り替えを防止できる。
【００７５】
なお、本実施形態では、５つの入力端子が設けられている表示装置１００について説明したが、入力端子の個数はこれに限定されない。また、１つの入力端子が表示装置１００に接続される場合の実施例について説明したが、後着優先で入力端子を選択することで、既に接続されている入力端子からケーブルを抜くことなく、新たにケーブルを接続した入力端子に切り替えることも可能である。また、入力端子と接続するケーブルをワイヤレスとすることも可能である。また、全ての入力端子からの信号が一定時間無いときには、自動的に表示装置１００の電源をオフすることも可能である。更に、ランプを備えた表示装置１００において、待機状態から一定時間信号の入力がなかった入力端子に信号入力が認められたときに、自動的に表示装置１００のランプを点灯させることも可能である。
【００７６】
ユーザは入力操作や表示されるピクチャーに基づいた入力操作を行うことなく、外部装置のケーブルを表示装置１００の入力端子に接続し（ワイヤレスではケーブルの接続は不要、またケーブルを接続したままの状態としているのであればケーブルの接続は不要）、外部装置の電源を投入することで信号が出力されるので、信号の切り替えを行うことができる。このように、実施形態１と実施形態２によれば「入力切替ボタン」が不要となり、また実施形態３により「表示装置の電源スイッチ」が不要となるので、電源スイッチのスペースを削減できる。このような効果により、本発明は操作パネルやリモコン受信部を持つスペースがない超小型プロジェクタ装置に適用できる。従って、表示装置のサイズダウンを可能とし、この結果、表示装置のコストを下げることができる。
【００７７】
以上、具体的な実施の形態により本発明を説明したが、上記実施の形態は本発明の例示であり、この実施の形態に限定されないことは言うまでもない。
【産業上の利用可能性】
【００７８】
本発明は、表示装置に好適であるが、表示装置に限られるものではなく、複数の入力端子を備え入力端子からの信号を入力する装置一般に適用可能である。
【符号の説明】
【００７９】
１・・・・・・・・・ＲＳ２３２Ｃ端子
２・・・・・・・・・出力端子
１１・・・・・・・・・入力端子（Ｔ１）
１２・・・・・・・・・入力端子（Ｔ２）
１３・・・・・・・・・入力端子（Ｔ３）
１４・・・・・・・・・入力端子（Ｔ４）
１５・・・・・・・・・入力端子（Ｔ５）
２０・・・・・・・・・同期信号検出回路
３０・・・・・・・・・検出回路
４０・・・・・・・・・セレクター・マルチプレクサー
５０・・・・・・・・・入出力処理部
５０ａ・・・・・・・・入力端子切替処理部
５０ｂ・・・・・・・・起動方法設定処理部
５１・・・・・・・・・ＥＥＰＲＯＭ
６０・・・・・・・・・画像処理回路
７０・・・・・・・・・パネル制御回路
８０・・・・・・・・・パネル
９０・・・・・・・・・制御電源
９１・・・・・・・・・電源スイッチ
１００・・・・・・・・・表示装置
２００・・・・・・・・・パソコン装置
２１０・・・・・・・・・パソコン装置本体
２２０・・・・・・・・・モニター
３００・・・・・・・・・配電盤
３１０・・・・・・・・・ブレーカー
【図１】
2011180331.tif 000003
【図２】
2011180331.tif 000004
【図３】
2011180331.tif 000005
【図４】
2011180331.tif 000006
【図５】
2011180331.tif 000007